(57)【特許請求の範囲】
【請求項１】
表紙模様やタイトル等が描かれる表紙用プリント紙と、表表紙用、背表紙用及び裏表紙用の表紙芯材と、本文等が記載される複数枚の本文用プリント紙と、長さ方向に沿って略平行に貼着された一対の剥離紙で保護された接着面を有する複数の帯状の綴じテープと、互いに重合状態に貼着されて本文セットの喉部を構成する上記各綴じテープ間に所定の間隔で介装されて貼着される複数の枕材とを有し、プリント終了後の表紙用プリント紙の裏面に各表紙芯材を互いに所定の間隔をおいて貼着することにより表表紙部、背表紙部及び裏表紙部を備えた表紙部材を形成し、また、プリント終了後の各本文用プリント紙の喉部に沿って各綴じテープを貼着すると共にこれら各綴じテープ間を貼着する際に、上記各綴じテープ間に所定の間隔で上記枕材を介装して本文セットの喉部の厚さを調整することにより、各本文用プリント紙が開閉可能に綴じ合わされた本文セットを形成し、互いに重合状態に貼着された綴じテープにより構成される本文セットの喉部を表紙部材に挟み込んで貼着することにより製本することを特徴とするオリジナル本作製用の製本キット。
【請求項２】
表表紙用、背表紙用、及び裏表紙用の各表紙芯材には剥離紙で保護された接着面が設けられており、この接着面を介してプリント終了後の表紙用プリント紙の裏面に貼着される請求項1に記載のオリジナル本作製用の製本キット。
【請求項３】
表紙部材の表表紙用及び裏表紙用の表紙芯材の内面側に貼着されると共に本文セット側に貼着される一対の見返し用紙を備えており、表紙部材と本文セットとの間がこれら一対の見返し用紙を介して貼着される請求項1又は２に記載のオリジナル本作製用の製本キット。
【請求項４】
見返し用紙は、表表紙用及び裏表紙用の各表紙芯材側並びに本文セット側に貼着される部分に、剥離紙で保護された接着面を有する請求項３に記載のオリジナル本作製用の製本キット。
【請求項５】
本文セットの喉部の天地部に貼着される一対の角布を備えており、本文セットの喉部の天地部が貼着されたこの角布により被覆され、保護される請求項１〜４のいずれかに記載のオリジナル本作製用の製本キット。
【請求項６】
角布は、その裏面全面に剥離紙で保護された接着面を有する請求項５に記載のオリジナル本作製用の製本キット。
【請求項７】
枕材は、少なくともその片面側に剥離紙で保護された接着面を有する請求項１〜６のいずれかに記載のオリジナル本作製用の製本キット。
【請求項８】
本文用プリント紙は、二つ折りして１枚で４頁分が印刷される用紙であり、二つ折りされた本文用プリント紙の喉部に綴じテープの一方の接着面が貼着される請求項１〜７のいずれかに記載のオリジナル本作製用の製本キット。
【発明の詳細な説明】
【０００１】
【発明の属する技術分野】
この発明は、個々人が自己の趣味に応じて内容の異なるオリジナル本を容易に、かつ、安価に作製することができるオリジナル本作製用の製本キットに関する。
【０００２】
【従来の技術】
書籍や雑誌等の製本された印刷物は、通常、専門的な出版社においてその編集から製本まで一貫して行われており、編集作業では、題材の選定、原稿の起草や校正、写真や挿絵等の選定、原稿や写真、挿絵等の割付、版下の作成と印刷等の作業が行われ、また、製本作業では、印刷された本文等を糸、針金、接着剤等で綴じ、これに印刷された表紙、見返し、扉等を用いて体裁を整えることが行われている。
【０００３】
ところで、今日、パソコンやプリンターの機能が格段に進歩し、また、デジタルビデオやデジタルカメラが出現して撮影した画像を容易にパソコンに取り込んで編集できるようになり、これまで専ら出版社で行われていた専門的な編集作業を個々人がパソコン上で容易に行うことができるようになり、実際に、旅行、結婚式、子育て、趣味（料理、生け花、園芸等）等の記録や絵本、小説等の創作を所定の形式や様式に編集し、ビデオ、フロッピーディスク、ＣＤ−ＲＯＭ、ＭＯ等の記録媒体に電子情報として記録しておくことが行われている。
【０００４】
しかしながら、このような記録方式では、電子情報として記録媒体に記録した内容を見るためには、この電子情報を画像や音声に再現するための再生装置、例えばビデオデッキ、パソコン、デジタルカメラ等が不可欠であり、また、これらの再生装置はそのメーカーによって仕様が異なり、例えばあるメーカーのパソコンで作製された記録媒体は他のメーカーのパソコンでは再生できない場合がある等その汎用性に問題があり、更には、このような情報機器の分野での技術進歩は著しく、例えば仮に同じメーカーのパソコン間でも、特別な変換ソフトを用いたり、フォーマットを変えて新しい記録媒体に写し変えたりしない限り、古いパソコンで作製された記録媒体を新しいパソコンで再現することができないというような事態も生じている。
【０００５】
このため、例えば旅行の際の写真や紀行文等をパソコン上で編集し、電子情報として記録媒体に記録しても、親しい友人や親戚に出向いて一緒に見ることができない場合があるほか、長い年月が経つと、もはや再生して見ることができなくなる場合も発生し、何時でも何処でも気軽に見られるように、記録本や創作本として小冊子にまとめ、製本しておくことが望まれている。
【０００６】
しかしながら、従来の製本作業には複雑な工程と高度の技術が要求され、個々人が簡単に、かつ、安価に製本された印刷物を作製することは困難であるとされている。例えば、特開平11-208,145号公報には製本キット及びオリジナル本の作成方法が提案されているが、この製本キットでは、キット本体部２が半完成の状態のまま、絵本の完成を請け負う取扱店等に渡され、当該取扱店で最終的に完成させるとされており、部分的に専門家の援助を必要としている。
【０００７】
【発明が解決しようとする課題】
そこで、本発明者は、個々人が家庭で容易に、かつ、安価に製本することができる製本キットについて鋭意検討した結果、製本作業の中で難しい作業とされている本文セットの作成を、長さ方向に沿って略平行に貼着された一対の剥離紙で保護された接着面を有する複数の帯状の綴じテープを用いていわゆる足継ぎ製本の技術を応用することにより、容易に作成できるようにし、これによって特別な装置や熟練した技術を要することなく容易に、かつ、安価に製本することができることを見出し、本発明を完成した。
【０００８】
従って、本発明の目的は、個々人が家庭で容易に、かつ、安価にオリジナル本を作製することができるオリジナル本作製用の製本キットを提供することにある。
【０００９】
【課題を解決するための手段】
すなわち、本発明は、表紙模様やタイトル等が描かれる表紙用プリント紙と、表表紙用、背表紙用及び裏表紙用の表紙芯材と、本文等が記載される複数枚の本文用プリント紙と、長さ方向に沿って略平行に貼着された一対の剥離紙で保護された接着面を有する複数の帯状の綴じテープと、互いに重合状態に貼着されて本文セットの喉部を構成する上記各綴じテープ間に所定の間隔で介装されて貼着される複数の枕材とを有し、プリント終了後の表紙用プリント紙の裏面に各表紙芯材を互いに所定の間隔をおいて貼着することにより表表紙部、背表紙部及び裏表紙部を備えた表紙部材を形成し、また、プリント終了後の各本文用プリント紙の喉部に沿って各綴じテープを貼着すると共にこれら各綴じテープ間を貼着する際に、上記各綴じテープ間に所定の間隔で上記枕材を介装して本文セットの喉部の厚さを調整することにより、各本文用プリント紙が開閉可能に綴じ合わされた本文セットを形成し、互いに重合状態に貼着された綴じテープにより構成される本文セットの喉部を表紙部材に挟み込んで貼着することにより製本することを特徴とするオリジナル本作製用の製本キットである。
【００１０】
本発明において、表紙模様やタイトル等が描かれる表紙用プリント紙としては、通常の家庭用プリンターで文字や画像を印刷できるものであるのがよく、通常の紙製のプリント紙や和紙であっても、また、合成樹脂製のフィルムからなる特殊なプリント紙であってもよいが、好ましくは、表面にインクジェットコートやレーザプリント適性が施されたプリント紙がよく、特に強靭で耐水性や耐磨耗性に優れたインクジェット専用合成紙（片面）等の専用特殊用紙であるのがよい。この表紙用プリント紙としては、その表表紙の部分、背表紙の部分及び裏表紙の部分を含む1枚のプリント紙で構成されていてもよいが、使用するプリンターの印刷可能なサイズが比較的小さい場合には、例えば、表表紙用、背表紙用、裏表紙用等のように複数枚に分割されていてもよい。
【００１１】
また、表表紙用、背表紙用及び裏表紙用の表紙芯材についても、比較的厚みがあって剛性に優れているものであれば特に制限はなく、例えば紙製のボール紙や合成樹脂製のシート等を挙げることができ、また、必要により幅寸法の異なる複数の背表紙用表紙芯材を用意しておいてもよい。更に、本文等が記載される本文用プリント紙についても、通常の家庭用プリンターで文字や画像を印刷できるものであればよく、特に制限されるものではないが、例えば１枚で４頁分が印刷されて二つ折り足継ぎ製本に適した横目裁専用ペーパーであるインクジェット専用紙（両面）や、１枚で２頁分が見開きに印刷されて２頁目裏面と３頁目裏面、４頁目裏面と５頁目裏面、……と貼り合わせる粘葉製本に適したインクジェット専用紙（片面）等のような高品位専用紙が望ましい。
【００１２】
更に、帯状の綴じテープは、プリント終了後の各本文用プリント紙を綴じ合わせるために用いられるものであり、そのテープ本体の幅寸法が通常１０〜４０ｍｍ、好ましくは１５〜３５ｍｍ程度であり、そのテープ本体の長さ方向に沿って略平行に貼着された一対の剥離紙で保護された接着面を有する。そして、この綴じテープに設けられる接着面については、テープ本体の片面のみに設けられていても、また、表裏両面に設けられていてもよく、更に、テープ本体の片面又は両面の全面に設けられていても、また、片面又は両面の左右両縁に沿って互いに所定の間隔をおいて２条又は４条の接着面に分割されていてもよい。この綴じテープにどのような接着面を設けるかは、本文セットが完成した際に、互いに重合状態に貼着された綴じテープにより構成される本文セットの喉部をどのように形成するかによって決定され、例えば、本文セットの喉部と本文部分との間に各綴じテープの一部を露出させて容易に折り曲げ可能な部分を形成するためには、接着面をテープ本体の片面の左右両縁に沿って互いに所定の間隔をおいて設けるのがよい。
【００１３】
また、本発明においては、表紙部材の表表紙用及び裏表紙用の表紙芯材の内面側に貼着されると共に本文セット側、好ましくは本文セットの喉部に貼着される一対の見返し用紙を用意し、この一対の見返し用紙を介して、表紙部材と本文セットとの間を互いに貼着するようにしてもよく、これによって表表紙及び裏表紙の内面側を綺麗に仕上げることができるほか、表紙部材と本文セットとの間の貼着作業をより容易に、かつ、確実に行うことができる。この見返し用紙についても、特に紙製に限らず、強靭で耐水性や耐磨耗性に優れた合成樹脂製のフィルムや合成紙等も使用できる。
【００１４】
更に、本発明においては、本文セットの喉部の天地部に貼着される一対の角布を用意し、この角布を本文セットの喉部の天地部に貼着するようにしてもよく、これによってこの天地部を被覆し保護することができるほか、綴じテープを重ね合わせて形成された本文セットの喉部が外部から見えなくなり、それだけ製本を綺麗に仕上げることができる。
【００１５】
更にまた、本発明においては、互いに重合状態に貼着されて本文セットの喉部を構成する各綴じテープ間に所定の間隔で介装されて貼着される複数の枕材を用意し、この枕材の使用により本文セットの喉部の厚さを調整できるようにしてもよく、これによって足継ぎ製本において本文セットの喉部の厚さが本文部分の厚さよりも薄くなったような場合に、この本文セットの喉部の厚さを調整して美麗に製本することができる。この枕材についても、上記表紙芯材と同様に、比較的厚みがあって剛性に優れているものであれば特に制限はなく、例えば紙製のボール紙や合成樹脂製のシート等を使用することができる。
【００１６】
本発明において、表表紙用、背表紙用、及び裏表紙用の各表紙芯材は表紙用プリント紙に、また、必要により用意される一対の見返し用紙は表表紙用及び裏表紙用の各表紙芯材側並びに本文セット側に、一対の角布は本文セットの喉部の天地部に、更に、複数の枕材は所定の綴じテープ間にそれぞれ貼着される。そして、これらの間を貼着する接着剤については、その製本作業の際に互いに接着される部分に塗布してもよいが、好ましくは、これら各表紙芯材、各見返し用紙、各角布、及び各枕材の接着部分、より好ましくは必要な接着部分に予め接着剤が塗布された接着面を設け、この接着面を剥離紙で保護しておくのが望ましい。このように各表紙芯材、各見返し用紙、各角布、及び各枕材に剥離紙で保護された接着面を設けておくことにより、接着部分に必要以上に多量の接着剤が付着したり、接着部分以外の不必要な部分に接着剤が付着して汚れの原因になることがなく、製本作業を容易にかつ確実に行うことができる。
【００１７】
例えば、表表紙用及び裏表紙用の表紙芯材については、その表面側には内側縁に沿って１条又は２条の接着面を、また、外側縁に沿って１条の接着面をそれぞれ形成すると共に、その裏面側には上縁、下縁、及び外側縁に沿ってそれぞれ接着面を形成し、また、背表紙用の表紙芯材については、その表面側全面と裏面側上部及び下部にそれぞれ接着面を形成し、これら各表紙芯材の表面側で表紙用プリント紙と貼着すると共に、この表紙用プリント紙の周縁を各表紙芯材の裏面側に折り返して貼着できるようにする。
【００１８】
また、各見返し用紙については、表紙部材の表表紙用又は裏表紙用の表紙芯材の内面側に貼着される部分において、例えば、その全面に接着面を設けてもよいが、その周縁部のみに接着面を設けてもよく、あるいは、その内側縁、中央部分、及び外側縁にそれぞれ接着面を設ける等してもよく、また、その本文セット側に貼着される部分については、例えば、この本文セットの喉部に対応する部分に接着面を設けてもよく、また、本文用プリント紙が形成する本文セットの外側面に対応する部分に、表紙芯材の内面側に対応する部分と同様に、適当な接着面を設けてもよい。
【００１９】
【発明の実施の形態】
以下、添付図面に示す実施例に基づいて、本発明の好適な実施の形態を具体的に説明する。
【００２０】
図１に本発明の実施例に係る二つ折り足継ぎ製本用の製本キットにより作製されたオリジナル本の一部分解斜視説明図が示されており、図２にその各部品一式が示されている。
【００２１】
この実施例の製本キットは、強靭で耐水性や耐磨耗性に優れたインクジェット専用合成紙（片面）からなり、表表紙用、背表紙用、裏表紙用、及び予備を含めて４枚の表紙用プリント紙３と、比較的厚みのあるボール紙で形成された表表紙用及び裏表紙用の一対の表紙芯材４、５、並びに背表紙用の幅寸法の小さい１本（図２においては外面側と内面側とをそれぞれ別個に示している）の表紙芯材６と、横目裁専用ペーパーであるインクジェット専用紙（両面）からなり、二つ折りして１枚で４頁分が印刷され、本文等の頁数に応じて用意される複数枚（図２においては５枚）の本文用プリント紙７と、この本文用プリント紙７の幅方向長さと同じ長さを有し、その長さ方向に沿って略平行に貼着された一対の剥離紙8b,8cで保護された一対の接着面8aを有し、かつ、本文用プリント紙７と同数枚の帯状の綴じテープ８と、二つ折りされた丈夫な模様紙で形成され、上記表紙用プリント紙３と表紙芯材４、５、６とで形成される表紙部材１と上記本文用プリント紙７と綴じテープ８とで形成される本文セット２との間を連結する一対の見返し用紙９と、上記本文セット２の喉部の天地部に貼着される一対の角布10と、比較的厚みのあるボール紙で形成され、本文セット２の喉部の厚さを調整する適宜枚数（図２においては３枚）の枕材11とで構成されている。
【００２２】
この実施例において、上記表表紙用及び裏表紙用の表紙芯材４、５、背表紙用の表紙芯材６、一対の見返し用紙９、一対の角布10、及び３枚の枕材11には、それぞれその接着部分に予め接着剤が塗布された接着面4a,5a,6a,9a,10a,11aが設けられており、これらの接着面4a,5a,6a,9a,10a,11aにはそれぞれ剥離紙4b,5b,6b,9b,10b,11bが貼着されて各接着面4a,5a,6a,9a,10a,11aを保護している。
【００２３】
すなわち、この実施例において、表表紙用及び裏表紙用の表紙芯材４、５は、互いに同じ大きさに形成されていると共に、製本された際にその外面側（表紙側）となる面には内側縁に沿って互いに所定の間隔を置いて２条の剥離紙4b,5bで保護された接着面4a,5aが設けられていると共に外側縁に沿って１条の剥離紙4b,5bで保護された接着面4a,5aが設けられており、内側縁側一方（内側縁外側寄り）の接着面4aには背表紙用プリント紙３が貼着され、内側縁側他方（内側縁側中央寄り）及び外側縁側の接着面4a,5aには表表紙用プリント紙３が貼着されるようになっており、更に、製本された際にその内面側（見返し側）となる面にはその上縁、下縁及び外側縁に沿ってそれぞれ剥離紙4b,5bで保護された接着面4a,5aが設けられており、ここには見返し用紙９が貼着されるようになっている。そして、これらの表表紙用及び裏表紙用の表紙芯材４、５は、左綴じ製本にするかあるいは右綴じ製本にするかにより、上下を逆さにして用いられる。
【００２４】
また、背表紙用の表紙芯材６には、その外面側全面に剥離紙6bで保護された接着面6aが設けられていると共に、その内面側には上部及び下部にそれぞれ剥離紙6bで保護された接着面6aが設けられている。
更に、この実施例において、上記各見返し用紙９には、表紙部材１の表表紙用又は裏表紙用の表紙芯材４、５の内面側に貼着される部分に、その内側縁、中央部分、及び外側縁にそれぞれ接着面9aを設けると共に、その本文セット２側については、この本文セット２の喉部に対応する部分に接着面9aが設けられている。
【００２５】
従って、この実施例の製本キットを用いて例えば「旅行記」等を編集し、製本するためには、先ず全体のストーリーを決定して各頁に盛り込む文章や写真等の内容を構想し、次に、例えば図３に示すような台割シート12を用いて頁割付を行い、図４に示すようにこの頁割付に従って「旅行記」等の内容をプリンター13により各本文用プリント紙７に印刷する。
【００２６】
そして、このようにして印刷が終了した後、図５に示すように、各本文用プリント紙７を二つ折りし、綴じテープ８の一方の剥離紙8bを剥がして露出した一方の接着面8aを上記二つ折りされた各本文用プリント紙７の喉部に貼り付け、更に、例えば１枚目、３枚目、及び５枚目の各本文用プリント紙７にはその喉部に貼着された綴じテープ８の剥離紙8cを剥がして枕材11の接着面11aとは反対側の面を貼着し、本文セット２を形成した際にその本文部分の厚さと綴じテープ８が互いに重合状態に貼着されて形成される本文セット１の喉部の厚さとがバランスとれるように調整され、その後に残された綴じテープ８の剥離紙8c及び枕材11の剥離紙11bを剥がし、全体の本文部分がずれないように各本文用プリント紙７を重ね合わせて接着面8a,11a,8a,8a,11aにより各綴じテープ８及び各枕材11の間を貼着し、本文セット２を完成させる。ここで、本文用プリント紙７を綴じこむ際に、例えば図５の符号7aで示すように、二つ折りされた本文用プリント紙７の外側縁を喉部として綴じテープ８を貼着し、これによって２倍の広さの頁部分を作り、そこに大きな地図等、複数に分割するのに適さない情報を記録するようにしてもよい。
【００２７】
完成した本文セット２には、図6に示すように、次にその喉部の天地部にそれぞれ角布10を貼着し、この角布10により製本が完成した際に本文セット２の喉部の天地部に生じた不揃いや、この天地部に枕材11が露出するのを目隠しする。
このようにして本文セット２の喉部の天地部にそれぞれ角布10を貼着した後、この本文セット２には、図7に示すように、その喉部の前面側及び後面側にそれぞれ見返し用紙９を貼着する。この際、本文セット２の喉部とこの本文セット２の喉部に対応する見返し用紙9の本文セット２側の接着面9aとの間を強く圧着し、十分に強固に貼着する。
【００２８】
本文セット２側が完成した後、次に表紙部材１の作製をする。
先ず、プリンター13を用い、図４に示すように、表表紙用、背表紙用、及び裏表紙用の各表紙用プリント紙３にそれぞれ対応する模様、図柄、タイトル、著者名等を印刷し、図８に示すように、それぞれ所定のサイズに切断し、表表紙用プリント紙3a、背表紙用プリント紙3c、及び裏表紙用プリント紙3bを作製する。
【００２９】
次に、図９に示すように、このようにして作製された各表表紙用プリント紙3a、背表紙用プリント紙3c、及び裏表紙用プリント紙3bの内面側には、それぞれ表表紙用、背表紙用、及び裏表紙用の各表紙芯材４、６及び５をその外面側に設けられた接着面4a、6a、及び5aにより貼着し、これら各表紙芯材４、６及び５が貼着された表表紙用プリント紙3a、背表紙用プリント紙3c、及び裏表紙用プリント紙3bを、左綴じ製本の場合には左から表表紙用プリント紙3a、背表紙用プリント紙3c、及び裏表紙用プリント紙3bの順に（右綴じ製本の場合には左から裏表紙用プリント紙3b背表紙用プリント紙3c、及び表表紙用プリント紙3aの順に）それぞれ配置し、図１０に示すように、表表紙用プリント紙3a、及び裏表紙用プリント紙3bのコーナー部を切除した後、これら各表表紙用プリント紙3a、及び裏表紙用プリント紙3bの上縁部、下縁部、及び外側縁部をそれぞれ折り返し、表表紙用、及び裏表紙用の各表紙芯材４、５の内面側（見返し側）に設けられた接着面4a、5aに貼着し、また、背表紙用プリント紙3cの上縁部及び下縁部をそれぞれ折り返し、表表紙用、背表紙用、及び裏表紙用の各表紙芯材４、６及び５の内面側に設けられた接着面4a、6a、及び5aにより貼着し、表紙部材１を完成する。
【００３０】
このようにして表紙部材１が完成した後、図１１に示すように、この表紙部材１の内面側の所定位置に見返し用紙９が貼着された本文セット２を配置し、表表紙用プリント紙3a及び裏表紙用プリント紙3bの各表紙芯材４、５の内面側（見返し側）と各見返し用紙９との間を、この見返し用紙９に設けられた接着面9aにより貼着し、図１２に示すように、製本が完成する。
【００３１】
従って、この実施例の製本キットによれば、本文用プリント紙７に「旅行記」等の内容を印刷し、また、表紙用プリント紙３に表紙模様やタイトル等を印刷する際に必要なプリンター13と、印刷された表紙用プリント紙３を所定のサイズに切断して表表紙用プリント紙3a、背表紙用プリント紙3c、及び裏表紙用プリント紙3bを作製する際にカッターあるいはハサミとを必要とし、更に、所望により定規や紙バサミを必要とするだけで、扱い難いチューブ入り接着剤等を使用することなく、容易に、かつ、安価に、しかも美麗に製本してオリジナル本を作製することができる。
【００３２】
【発明の効果】
本発明によれば、個々人が自己の趣味に応じて内容の異なるオリジナル本を容易に、かつ、安価に作製することができる。
【図面の簡単な説明】
【図１】  図１は、本発明の実施例にかかる製本キットにより作製されるオリジナル本の一部分解斜視説明図である。
【図２】  図２は、図１に示す製本キットの各部品を示す説明図である。
【図３】  図３は、ページ割付を決定するための台割シートの説明図である。
【図４】  図４は、プリンターで表紙用プリント紙３あるいは本文用プリント紙に所定事項を印刷する様子を示す斜視説明図である。
【図５】  図５は、本文セットを作成する状態を示す斜視説明図である。
【図６】  図６は、本文セットに角布を取り付ける状態を示す部分斜視説明図である。
【図７】  図７は、本文セットに見返し用紙を取り付ける状態を示す部分斜視説明図である。
【図８】  図８は、作製された表表紙用プリント紙、背表紙用プリント紙、及び裏表紙用プリント紙を示す説明図である。
【図９】  図９は、図８で得られた表表紙用プリント紙、背表紙用プリント紙、及び裏表紙用プリント紙の内面側に表表紙用、背表紙用、及び裏表紙用の表紙芯材を貼着した状態を示す説明図である。
【図１０】  図１０は、表表紙用、背表紙用、及び裏表紙用の表紙芯材の内面側に表表紙用プリント紙、背表紙用プリント紙、及び裏表紙用プリント紙の上縁部、下縁部、あるいは外側縁部を折り込んで貼着する状態を示す説明図である。
【図１１】  図１１は、完成した表紙部材に本文セットを取り付ける状態を示す説明図である。
【図１２】  図１２は、完成したオリジナル本を示す斜視説明図である。
【符号の説明】
１…表紙部材
２…本文セット
３…表紙用プリント紙
４…表表紙用の表紙芯材
５…裏表紙用の表紙芯材
６…背表紙用の表紙芯材
７…本文用プリント紙
８…綴じテープ
９…見返し用紙
10…角布
11…枕材
12…台割シート
13…プリンター
4a,5a,6a,8a,9a,10a,11a…接着面
4b,5b,6b,8b,8c,9b,10b,11b…剥離紙
【図１】
0004353630.tif 000002
【図２】
0004353630.tif 000003
【図３】
0004353630.tif 000004
【図４】
0004353630.tif 000005
【図５】
0004353630.tif 000006
【図６】
0004353630.tif 000007
【図７】
0004353630.tif 000008
【図８】
0004353630.tif 000009
【図９】
0004353630.tif 000010
【図１０】
0004353630.tif 000011
【図１１】
0004353630.tif 000012
【図１２】
0004353630.tif 000013